(57)【要約】      （修正有）【課題】異なる形状と寸法のアイロン台を十分収納することができる調整可能なアイロン台カバーを提供する。【解決手段】アイロン台カバー３８は、特にカバーをアイロン台１０上で張った状態に保つのを助けるための張力手段、及びカバーが異なる寸法のアイロン台１０を収納するような調節手段を含む。【選択図】図２
2008259859.tif 000002
【特許請求の範囲】
【請求項１】
アイロンテーブルを有するアイロン台用アイロン台カバーであって、
前記アイロンテーブル上に伸びるように構成された第１部分；
少なくとも一部が前記アイロンテーブルの下に伸びるように構成され、前記第１部分に張力を提供するために全方向に弾性があり、そして異なる寸法のアイロンテーブルを収納するためその少なくとも１つの寸法を調節する手段を含む第２部分、を含むカバー。
【請求項２】
前記第２部分は前記第１部の周辺に固定されることを特徴とする、請求項１に記載のアイロン台カバー。
【請求項３】
前記第２部は、一部が離間した側縁部により画定された長さ方向の開口を含み、前記開口は前記テーブルを支持する少なくとも第１と第２の脚アセンブリ上に取り付けられることを可能にすることを特徴とする、請求項１に記載のアイロン台カバー。
【請求項４】
前記開口の少なくとも一部は前記離間した側縁部に固定された所定幅の挿入物の使用により閉止可能であることを特徴とする、請求項３に記載のアイロン台カバー。
【請求項５】
前記挿入物はジッパを使用して固定されることを特徴とする、請求項４に記載のアイロン台カバー。
【請求項６】
前記挿入物はフックとループファスナを使用して固定されることを特徴とする、請求項４に記載のアイロン台カバー。
【請求項７】
前記第２部分は一部が離間した側縁部により画定された横方向開口を含むことを特徴とする、請求項１に記載のアイロン台カバー。
【請求項８】
前記開口の少なくとも一部は前記離間した側縁部に固定された所定長の挿入物の使用により閉止可能であることを特徴とする、請求項７に記載のアイロン台カバー。
【請求項９】
前記挿入物はジッパを使用して固定されることを特徴とする、請求項８に記載のアイロン台カバー。
【請求項１０】
前記挿入物はフックとループファスナを使用して固定されることを特徴とする、請求項８に記載のアイロン台カバー。
【請求項１１】
前記第２部分はその内縁部に沿って固定手段により閉止可能である２つのフラップにより画定された長さ方向開口を含み、前記フラップの１つは、それにより異なる幅のアイロンテーブルを収納するため前記側縁部固定手段から外へ離間した複数のさらなる固定手段を含むことを特徴とする、請求項１に記載のアイロン台カバー。
【請求項１２】
前記固定手段はジッパであることを特徴とする、請求項１１に記載のアイロン台カバー。
【請求項１３】
前記固定手段はフックとループファスナであることを特徴とする、請求項１１に記載のアイロン台カバー。
【請求項１４】
アイロンテーブルを有するアイロン台用アイロン台カバーであって、
前記アイロンテーブル上に伸びるように構成された第１シートと；
少なくとも一部が前記アイロンテーブルの下に伸びるように構成され、前記第１シートに張力を提供するために全方向に弾性があり、そして異なる寸法のアイロンテーブルを収納するため幅は可変であり、前記アイロンテーブルの下側部分を完全に横切って第２シートを伸ばす、全方向に弾性がある挿入物を受ける手段を含む第２シートと、を含むカバー。
【請求項１５】
実質的に先に詳述したような、付属図面に言及するアイロン台カバー。
【発明の詳細な説明】
【背景技術】
【０００１】
国内のアイロン台は一般にテーブルの高さを調節する一対の旋回脚上に取り付けられたアイロンテーブルを含む。アイロンテーブルはアイロンからの熱の拡散に役立ち、それ自身が適切な材料のカバーで覆われたパッドも含む。このカバーは通常テーブル表面上に伸びるだけでなくテーブル周辺周りへも伸びる。引き紐又は弾性バインダはカバーを定位置に保つのを助けるため周囲で使用されることが知られる。これらに関する問題は、カバーを特に長さ方向にテーブルを横切るように張る状態に保つことで、それらはあまり効果的でないことである。使用中にカバーは一般に動き又は回転し絶えず調節を必要とする。
【０００２】
この出願人は同時係属オーストラリア特許出願の所有者で、これは複数シートを含むアイロン台に関し、その第１シートはアイロン台テーブルの表面と周囲にわたって伸び、その第２シートはテーブルの下へ伸びる。第２シートは弾性があり、（材料は全方向にその弾性が均質であるウエットスーツで使用されるような合成材料で適切に作られる）これによりカバーをアイロン台テーブル上で張る状態に保つために、シート上に張力を提供する。
【０００３】
アイロン台に張る状態のカバーを提供することにおいて効果的ではあるが、出願人は、このようなカバーは異なる形状と寸法のアイロン台を十分収納することができることを認めた。特に、アイロン台は色々な異なる幅と長さのものが利用でき、現在、多くの時間と材料はこのような台を収納するためのカバーを製造するために必要である。
【０００４】
この発明の目的はこの問題を克服し、又は少なくとも公衆に有益な代替物を提供するアイロン台カバーを提供することである。
【発明の開示】
【０００５】
従って、本発明の１つの形体でアイロンテーブルを有するアイロン台用アイロン台カバーが提案され、前記カバーは前記アイロンテーブル上に伸びるように構成された第１部分；
前記アイロンテーブル下に少なくとも一部が伸びるように構成された第２部分；
張力を前記第１部分へ与えるため、全方向に弾性があり、異なる寸法のアイロンテーブルを収納するため、その少なくとも１つの寸法を調節する手段を含む第２シート；を含む。
【０００６】
好ましくは、前記第２部分は前記第１部分周辺へ固定される。
【０００７】
好ましくは、前記第２部分は一部が離間した側縁部により固定された長さ方向開口を含み、前記開口はカバーがテーブルを支持する少なくとも第１と第２脚アセンブリ上へ取り付けられることを可能にする。
【０００８】
好ましくは、前記開口の少なくとも一部は前記離間した側縁部へ固定された所定幅の挿入物の使用により閉止可能である。異なる幅の挿入物をアイロンテーブルの幅に応じて選択する。
【０００９】
好ましくは前記挿入物はジッパを使用して固定される。又、前記挿入物はフックとループファスナを使用して固定される。
【００１０】
この発明の更なる実施形態で、前記第２部分は離間し、一部が側縁部により画定された横方向開口を含む。
【００１１】
好ましくは、前記開口の少なくとも一部は前記離間した側縁部に固定された所定長の挿入物の使用により閉止できる。異なる長さの挿入物はアイロンテーブルの幅に応じて選択される。
【００１２】
好ましくは、前記挿入物はジッパを使用して固定される。又、前記挿入物はフックとループファスナを使用して固定される。
【００１３】
更なる実施形態で、前記第２部分は２つのフラップにより画定された長さ方向開口を含み、それはその内縁部に沿った固定手段により閉止可能であり、前記フラップの１つは前記側縁部固定手段から外へ離間した複数の更なる固定手段を含み、これにより異なる幅のアイロンテーブルを収納する。
【００１４】
好ましくは、前記固定手段はジッパである。又、前記固定手段はフックとループファスナである。
【００１５】
中に組み込まれ、この明細書の一部を構成する付属図面は、本発明のいくつかの実施を図示し、記載と共に本発明の利点と原理を説明するのに役立つ。
【発明を実施するための最良の形態】
【００１６】
本発明の以下の詳細記述は付属図面に言及する。記述は典型的実施形態を含むが、他の実施形態も可能であり、本発明の精神と範囲から離れることなく記述される実施形態への変更もなされる。可能な場合、同一参照番号は同一及び類似部分に言及するため、図面及び以下の記述を通して使用される。
【００１７】
図面に関し、一対の旋回脚アセンブリ１４と１６により支持されるアイロンテーブル又は表面１２を含む、従来構造のアイロン台１０が図１に示される。アイロンテーブルは傾斜した端部又は先端１８から長さ方向に他の端部または後端２０へ伸びる。脚アセンブリ１４は先端１８により近い位置にアイロン台と旋回可能に係合される一方、脚アセンブリ１６は後端２０に近いアイロン台にスライド可能に係合される。アイロン台は、その中で脚アセンブリがテーブルの下側または表面１２とほぼ同一平面上の位置を占める収納位置に折り畳まれるように構成される。これを達成するため、脚アセンブリ１４の外端部２２は上方向２４に折り畳まれる一方、脚アセンブリ１６の外端部２６は上向き２８に折り畳まれる。脚アセンブリ１６は後端２０に旋回可能に固定されるので、この折り畳み動作は脚アセンブリ１４の内端部３０を先端の方向３２へスライドさせる。
【００１８】
アイロンテーブル１２は、通常‘Ｌ’型の周辺縁部３４を含む。テーブルがアイロンの目的で使用されることを可能にする支持レール（表示せず）を含む色々な支持構造は、テーブル１２の下側３６上に設置される。本発明のアイロン台カバー３８は、‘Ｌ’型周辺縁部３４近辺近くに設置されたカバー３８の縁部を備える周辺縁部３４の周りに、テーブル１２上面を横断して伸びる。
【００１９】
表示しないが、カバー３８は好ましくは縁部３４周辺のテーブル１２上に伸びる第１シートを含み、そして第２シートはテーブル１２の下側へ部分的に伸び、そして適切な手段（縫製のような）により第１シートの周辺縁部へ固定される。第１シートに張力を提供し、これによりそれをアイロンテーブル１２上で張る状態に保つため、第２シートは弾性材料から製造される。弾性材料の比較的狭い表面領域でさえ、カバーを定位置に張る状態で保つのに十分な張力を提供することが分かっている。このような弾性材料の使用はこの発明者の所有する同時係属特許出願の主題を形成する。カバー３８の下側用の適切な材料は、材料が全方向にその弾性が均質なウエットスーツで使用されるそれらのような合成材料を含む。
【００２０】
カバー３８の開口４０はそれがテーブル上に取り付けられることを可能にし、脚１４がテーブルの下側に沿って収納位置から作動位置へスライドすることを可能にする。開口４０は下側３６の長さに沿って伸び、脚アセンブリ１４と１６が作動位置にあるとき、通過することを可能にする位置の横スリット４２と４４を含む。本発明の序文で述べたように、このようなカバーが異なる幅と長さのアイロンテーブルを収納し、これによりこのようなテーブル用の異なる寸法のカバーを製造する必要性を軽減するため、調節手段をこのようなカバーが含むことに対するニーズがこの発明者により確認されている。
【００２１】
図２〜３はこの発明の第１実施形態によるアイロン台カバー３８の幅を調節する手段を含む、アイロン台１０の下側を図示する。特に、脚１４の動きを可能にする開口４０は２つの脚アセンブリ１４と１６の間のその内部対向縁部に沿って伸びる２つのジッパ部４６と４８を含む。ジッパ部４６と４８のそれに対応する長さの挿入物５０はその間に挿入されるように構成される。挿入物５０は夫々ジッパ部４６と４８と係合するように構成されたそれ自身のジッパ部分５２と５４を含む。
【００２２】
当業者が認識するように、２つのジッパ部の係合に対し、１つの部分はもう１つの部分上のトラックと係合するように構成されたスライド可能で移動可能なジッパを含まなければならない。この発明の目的のため、挿入物３８が容易に取り付け、そして取り外されるように、ジッパをカバーの外側上に設置する限り、どちらの部分４６又は５２、又は４８又は５４がトラック又はジッパを含むかは重要ではない。更に、挿入物がジッパのみを使用して開口間に取り付けられることは重要ではない。フックやループファスナのような他の適切な取り付け手段はいずれも同等に旨く使用することができる。
【００２３】
図４はアイロン台テーブルの幅に応じて使用に選択できる、異なる幅の複数挿入物５０を図示する。挿入物５０の使用は幅調節を可能にするだけでなく、張力を最大化し、よい外観を提供する。どの寸法の挿入物５０を使用すべきかの決定において、一旦取り付ければ、カバー３８の下側はあまり多くも少なくも伸ばされず、その弾性を維持し、これによりカバーがアイロンテーブル上で張った状態を保持することを保証する必要がある。好ましくは、挿入物の寸法は標準アイロン台テーブルに対応し、これによりユーザが特定のテーブル幅を決定する場合、それらは、従って単に対応する挿入物を選択するだけである。
【００２４】
図５はこの発明の第２実施形態によるカバー６０を含むアイロン台１０の下側を図示する。しかしカバー６０は脚アセンブリ１４と１６間の開口４０を含み、カバーは開口４０内のある位置で合致する２つの対向フラップ部分６２と６４を含む。フラップ６２はフラップ６４より幅が狭く、係合ジッパ６６を含む一方、フラップ６４はトラック６８を含む。トラック６８と並列に伸び、これによりユーザにテーブル幅に応じ適切なトラックを選択する能力を提供するフラップ６４上に位置づけられる２つの更なるトラック７０と７２がある。図５は最大幅で係合したカバー６０を図示する。それはジッパ６６をトラック６８と結合するより、どちらか適切な更なるトラック７０又は７２の１つに結合されることにおいて、同じカバーが幅のより狭いテーブルに使用できることが当業者は理解するだろう。
【００２５】
最初の方で述べたように、カバーは異なる幅のアイロン台を収納するように構成できるだけでなく、異なる長さのものも収納するように構成できる。図６は、先に記述したように長さ方向の開口４０と挿入物５０を含むカバー８０を図示するが、カバー８０は、更に台の先端に向かって、脚アセンブリ１４の対向側上に設置された横方向の開口８２を含む。開口８２は長さ方向の開口４０の対向側上の２つの挿入物８４と８６と係合することができるように構成される。当業者は開口８２での異なる幅の挿入物の使用で、カバー８０の長さも調節することができることを認識するだろう。挿入物８４の特徴と開口８２縁部間の取り付け手段は挿入物５０のそれと基本的に同じであり、それで、簡略化のため再度ここでは記述しない。
【００２６】
当業者はここで如何にこの発明は異なる形状と寸法のアイロン台に出願者の改良アイロン台カバーを取り付けることに関連する問題を克服するかを認識すべきである。ここで具体化されたカバーは本発明に基本ではない他の特徴を含むだけでなく、付加的な補助的特徴も備える。例えば、カバーはアイロンホルダがテーブルから伸びることを可能にする開口（表示なし）を含む。
【００２７】
更なる利点と改善はその範囲からそれることなくこの発明に非常によく行われている。例えば、本発明への更なる改善は弾性が一方向だけのそれのような異なるタイプの弾性材料の使用である。
【００２８】
本発明は、最も実際的であり、好適実施形態であると考えられることで表示し、述べてきたが、本発明の範囲と精神内でそこから出発することができることは認識され、それはここで記述される詳細に限定されるべきでなく、全ての同等な装置と器具を包含するように、特許請求の全範囲を包含するべきである。
【００２９】
次の特許請求の範囲と本発明の要約において、その内容が、表現言語又は必要な意味のため、さもなくば必要とする場合を除き、語句“からなる（ｃｏｍｐｒｉｓｉｎｇ）”は“含む（ｉｎｃｌｕｄｉｎｇ）”の意味で使用され、即ち指定の特徴は本発明の色々な実施形態での更なる特徴と関連するだろう。
【図面の簡単な説明】
【００３０】
【図１】この発明の第１実施形態によるアイロン台カバーを備える典型的アイロン台の斜視図である。
【図２】挿入物の形のカバーの幅調節手段を図示する、図１のアイロン台の下側の斜視図である。
【図３】図２の挿入物を図示する図１のアイロン台の下側斜視図である。
【図４】色々な異なる幅の挿入物を含む、挿入物が取り付けられたアイロン台カバー部分の拡大斜視図である。
【図５】複数の長手方向ジッパトラックの形の幅調節手段を含む、本発明の第２実施形態によるアイロン台カバーを図示するアイロン台下側の斜視図である。
【図６】異なる長さのアイロン台を収納する手段を含む、本発明の第３の実施形態によるアイロン台カバーを固定するアイロン台の下側の斜視図である。
【符号の説明】
【００３１】
10：アイロン台
12：表面
14、16：脚アセンブリ
18：先端
20：後端
22、26：外端部
24、28：上方
30：内端部
32：前方
34：周辺縁部
36：下側
38、80：カバー
40、82：開口
42、44：横方向スリット
46、48、52、54、66：ジッパ部
50、84、86：挿入物
62、64：フラップ部
68、70、72：トラック
【図１】
2008259859.tif 000003
【図２】
2008259859.tif 000004
【図３】
2008259859.tif 000005
【図４】
2008259859.tif 000006
【図５】
2008259859.tif 000007
【図６】
2008259859.tif 000008
【外国語明細書】
2008259859000001.pdf